(57)【要約】【課題】各植物側に光源を向け、該箱体内を恒常的に湿度均一に保ち、光線の照射と共に、植物の生育成長に効果を備えるスプリンクラーの水耕栽培システムを提供する。【解決手段】スプリンクラーの水耕栽培システムは、主に箱体を設置し，該箱体は少なくとも一直立面上に植物を置くための複数の開口を設置し，該箱体の内側上方には少なくとも一水管を設置し，該水管表面には複数のシャワー孔を設置し，水管内の液体を各シャワー孔から該植物へ落とし，且つ該箱体外側には少なくとも一ライトウォールを設置する。【選択図】図１
2014003948.tif 000002
【特許請求の範囲】
【請求項１】
箱体を設置するスプリンクラーの水耕栽培システムにおいて、そのうち、
該箱体は少なくとも一直立面上に植物を置くための複数の開口を設置し，該箱体の内側上方には少なくとも一水管を設置し，該水管表面には複数のシャワー孔を設置し，水管内の液体を各シャワー孔から該植物へ落とし，且つ該箱体外側には少なくとも一ライトウォールを設置し、各植物側に光源を提供することを特徴とするスプリンクラーの水耕栽培システム。
【請求項２】
前記箱体底部は、更に水受け盤を設置し、各シャワー孔から落下する液体を受けるのに用いることを特徴とする請求項１記載のスプリンクラーの水耕栽培システム。
【請求項３】
前記水受け盤は、一側に抽水ユニットを設置し、該抽水ユニットの別側は該水管と連接し、該抽水ユニットは、モーター及び抽水管を設置することを特徴とする請求項２記載のスプリンクラーの水耕栽培システム。
【請求項４】
前記抽水ユニットは、更にタイマーを設置し、該タイマーは該モーターと連接することを特徴とする請求項３記載のスプリンクラーの水耕栽培システム。
【請求項５】
前記箱体は、更に気体循環ユニットを設置し、該気体循環ユニットは少なくとも一入気口、排気口及び吸気部品を設置し、該入気口及び排気口は該箱体上方に設置し、該吸気部品が外部気体を該入気口から該箱体内に導き、箱体内部の気体を該排気口から箱体外へ吐きだし、気体循環を形成することを特徴とする請求項１から４のうち一項記載のスプリンクラーの水耕栽培システム。
【請求項６】
前記ライトウォールは、少なくとも一ライト板を設置し、該ライト板は該箱体と相互平行で設置するか、もしくは該ライト板は該箱体外側に傾斜設置することを特徴とする請求項１記載のスプリンクラーの水耕栽培システム。
【請求項７】
前記ライト板は、板部品上に少なくとも一発光部品を構築し、該ライトウォールは更に基台を設置し、その本体上には少なくとも一本の該基台に沿って軸方向に配置した第一嵌合槽を成形し、該ライト板の板部品の少なくとも一側には第一嵌合槽と接合する滑動機構を設置することを特徴とする請求項６記載のスプリンクラーの水耕栽培システム。
【請求項８】
前記ライトウォールは、更に少なくとも一接続台を含み、及び少なくとも二個ライト板を備え、各ライト板は該板部品の少なくとも二個の相対する側に、それぞれ該基台の第一嵌合槽と接合する滑動機構を設置し、該接続台は、その本体上に該接続台に沿って軸方向に配置し、各ライト板の滑動機構と接合する第二嵌合槽を複数本設置することを特徴とする請求項７記載のスプリンクラーの水耕栽培システム。
【請求項９】
前記各第一嵌合槽及び各第二嵌合槽はT形断面の構型で、各ライト板の滑動機構は各第一嵌合槽及び各第二嵌合槽と対応して嵌合接合するT形断面構型とすることを特徴とする請求項８記載のスプリンクラーの水耕栽培システム。
【請求項１０】
前記ライトウォールは、更に少なくとも一固定台を設置し、基台本体に固定し、固定台は基台と接合する嵌合部及び固定面と安定して接触する底部を備え、該固定台の嵌合部は少なくとも一ネジ穿孔を設置し、該基台は固定台と接合する位置に、それぞれ該少なくとも一ネジ穿孔と合わさるネジ孔を複数環設し、ネジで該固定台と該基台を固定結合することを特徴とする請求項７から９のうちの一項記載のスプリンクラーの水耕栽培システム。
【発明の詳細な説明】
【技術分野】
【０００１】
本発明は、スプリンクラーの水耕栽培システムに関し、特に箱体内で良好な湿度均一効果を達成し、植物の生育成長に利するスプリンクラーの水耕栽培システムを提供する。
【背景技術】
【０００２】
植物の正常生長を維持するためには、酸素、水分及び無機養分(inorganic nutrients)をその根区域環境(root-zone
environment)に供給しなければならない。伝統的な植物栽培方法は、「土壤」からこれら必要なものを提供する。即ち、種子もしくは苗を土壤に播いたり、植えたりして、定期的に肥料及び灌漑を行う。また植物は日光及び空気中の二酸化炭素によって光合成を行い成長する。他に、土壌を使わずに培養基を使用して無土壌栽培(soilless culture)するのが発展してきている。この種の技術は必ず培養基culture medium)と栄養液(nutrient solution)を提供して植物生長発育に用いるため、この種の技術は養液栽培(nutriculture)とも呼ばれている。
【０００３】
伝統的な養液栽培は、通常スポンジに株を植え、植物の根は常に栄養液内に浸かっている。そのため、この種の栽培方式は水耕栽培(hydroponic culture)とも呼ばれるが、この方法は空気(酸素)を栄養液内に充填しなければならず(例として栄養液を入れるか、もしくはポンプで空気を送る)、それによって栄養液内の根の呼吸作用を維持することができる。
【０００４】
その他、土地資源は有限であるが、人口は途切れることなく増加している。そのため、有限の土地を如何に利用するかは、人類の食料をどのように満たすかという科学者の研究のひとつとなっている。ひとつには、植物の遺伝子改良の研究があり、それは主に該植物が最短期間で最大の収穫量を得ることができるようになり、人類最大の貢献と期待されている。しかしながら、この種の研究過程は不断の実験が必要で、栽培箱は重要な工具のひとつと言える。密閉空間に於いて、箱内の温度湿度をコントロールし、植物の最良の成長環境の条件値を知ることは、大きな課題であると言える。
【先行技術文献】
【特許文献】
【０００５】
【特許文献１】台湾  特許公示M４２６２６８号
【特許文献２】台湾  特許公示M２７８２２８号
【発明の概要】
【発明が解決しようとする課題】
【０００６】
解決しようとする問題点は、土壌による栽培は土地を有効利用できない点であり、水耕栽培は温度湿度をコントロールし、植物に最良の成長環境を与えることが困難である点である。
【課題を解決するための手段】
【０００７】
スプリンクラーの水耕栽培システムは、主に箱体を設置し，該箱体は少なくとも一直立面上に植物を置くための複数の開口を設置し，該箱体の内側上方には少なくとも一水管を設置し，該水管表面には複数のシャワー孔を設置し，水管内の液体を各シャワー孔から該植物へ落とし，且つ該箱体外側には少なくとも一ライトウォールを設置することを最も主要な特徴とする。
【発明の効果】
【０００８】
本発明のスプリンクラーの水耕栽培システムは、以下の利点がある。
【０００９】
本発明の箱体内は、恒常的に良好な湿度均一効果を保ち、植物の生育成長に効果をもたらす。
【００１０】
スプリンクラー方式で水分を与えるため、使用水量を減らすことができる。
【００１１】
スプリンクラーが水分並びに気体を合わせて循環させるため、植物に必要な気体を提供し、成長を強化する。
【００１２】
本発明の箱体は直立式設置で、栄養分を与えるため、設置空間を節約して有効利用でき、設置空間によって装飾、美化等機能を向上させる。
【図面の簡単な説明】
【００１３】
【図１】本発明のスプリンクラーの水耕栽培システムの構造立体図である。
【図２】本発明のスプリンクラーの水耕栽培システムの構造分解図である。
【図３】本発明のスプリンクラーの水耕栽培システムの別の一構造立体図である。
【図４】本発明のスプリンクラーの水耕栽培システムの更に別の一構造立体図である。
【発明を実施するための形態】
【００１４】
箱体内を良好な湿度均一効果に保ち、植物を成長させるスプリンクラーの水耕栽培システムを提供することを本発明の主な目的とする。
【００１５】
上述の目的を達成するため、本発明のスプリンクラーの水耕栽培システムは主に箱体を設置する。該箱体は少なくとも一直立面上に植物を置くための複数の開口を設置し、該箱体の内側上方には少なくとも一水管を設置し、該水管表面には複数のシャワー孔を設置し、水管内の液体を各シャワー孔から該植物へ落とす。更に該箱体外側には少なくとも一ライトウォールを設置し、各植物側に光源を提供し、該箱体内を恒常的に良好な湿度均一効果に保ち、更に光線の照射によって植物の成長に効果を与える。
【実施例】
【００１６】
本発明の特徴を、図式を元に良好な実施例を挙げて説明する。
【００１７】
図１の本発明スプリンクラーの水耕栽培システムの構造立体図、及び図２の本発明スプリンクラーの水耕栽培システムの構造分解図に示すとおり、該スプリンクラーの水耕栽培システム１は、主に箱体１０を設置し、該箱体１０は少なくとも一直立面１１上に植物２０を置ける複数の開口１２を設置し、該箱体１０内側上方には少なくとも一水管３０を設置し、該水管３０表面には複数のシャワー孔３１を設置する。
【００１８】
使用時、各植物２０は、各開口１２から、それぞれ該箱体の直立面１１上に固定設置して直立式栽培ウォールを形成する。また該水管３０内の液体は各シャワー孔３１から該植物２０へ振りかけられ、スプリンクラー式液体供給效果を形成し、該箱体１０内を恒常的に良好な湿度均一に保ち、植物の生育成長に効果を備える。当然、該水管内の液体は栄養液を含んでもよく、植物に必要な養分を提供する。他に、図３に示すとおり、複数の箱体１０を相互に繋いでも良い。
【００１９】
更に該箱体の外側は、ライトウォールを設置し、側向きに光源を直立式光線にして提供することで、特に植物の照射条件をコントロールするのに適し、直列方式で植物の育つ箇所に当てることができ、土地の空間有効利用が達成できる。そのうち、該ライトウォールは、少なくとも一ライト板を設置し、該ライト板は該箱体と相互平行に設置するか、もしくは該ライト板は該箱体外側に傾斜設置することで、植物に必要な照射条件を提供する。
【００２０】
更に、該箱体は、気体循環ユニットを設置する。該気体循環ユニットは、少なくとも一入気口、排気口及び吸気部品を設置する。該入気口及び排気口は該箱体上方に設置し、該吸気部品は外部気体を該入気口から該箱体内へ入れ、箱体内部気体を、該排気口を通して該箱体から抜き出し、気体循環を形成する。更に該気体循環は該スプリンクラー式液体供給と合わせ、スプリンクラー式液体が気体を覆って植物に必要な気体(例として酸素)を提供する。
【００２１】
他に、該箱体底部は、更に水受け盤を設置し、各シャワー孔から落下した液体を受けるのに用い、且つ該水受け盤の一側は、抽水ユニットを設置する。該抽水ユニットは、モーター及び抽水管を設置し、該抽水ユニットの別側の抽水管は、該水管と連接し、該水受け盤内に溜まった液体をモーターから該抽水管へ吸いとり、水管へ再び戻して重複使用することができる。更に、該抽水ユニットは、更にタイマーを設置することもできる。該タイマーは該モーターと連接し、使用者が自分でモーターの開閉時間を設定する。
【００２２】
更に、該ライトウォール４０のライト板４１は、板部品上に少なくとも一発光部品４１２を構築する。図４に示すとおり、該ライトウォールは更に基台４２を設置し、該基台４２の本体上には少なくとも該基台４２に沿って軸方向に配置した第一嵌合槽４２１を設置する。該ライト板４１の板部品の少なくとも一側には、第一嵌合槽４２１と接合した滑動機構４１３を設置する。図に示す実施例に於いて、該滑動機構４１３はプーリーであり、もしくは該第一嵌合槽はT形断面の構型であり、各ライト板の滑動機構は各第一嵌合槽と対応して嵌合接合するT形断面構型である。
【００２３】
そのうち、簡単な差込方式でライト板４１を基台４２上にしっかりと設置し、更に実際の使用に拠って基台４２上に数量変動可能なライト板４１を横向延長配置することを選択しているが、勿論、その使用状態に於いて、使用者はライト板４１を簡単に押す方式でライト板４１の横向位置にスピーディに調整してもよい。
【００２４】
該ライトウォールは、更に少なくとも一接続台(図未提示)を含み、少なくとも二個のライト板を備える。各ライト板は、該板部品の少なくとも二個の対応する側に、それぞれ該基台の第一嵌合槽と接合する滑動機構を設置する。該接続台は、本体上に該接続台に沿って軸方向に配置し、各ライト板の滑動機構と接合する第二嵌合槽を複数本設置し，実際使用の必要に応じて数量変更可能な接続台及びライト板によって複数層のライト板を上向きに伸ばして配置する。そのうち、各第一嵌合槽及び各第二嵌合槽はT形断面の構型で、各ライト板の滑動機構は各第一嵌合槽及び各第二嵌合槽と合わさって対応嵌合するT形断面構型とする。
【００２５】
更に、該ライトウォールは、更に固定台を設置し、各固定台の嵌合部は、少なくとも一ネジ穿孔を設置し、該基台は各固定台と接合する位置に、該少なくとも一ネジ穿孔と合わさるネジ孔をそれぞれ複数個環設し、ネジで該固定台と該基台を固定して結合する。
【００２６】
上述構造特徴によって、基台を回転し、その他ネジ孔と固定台上のネジ穿孔を合わせ、ネジを該ネジ孔で固定する方式で簡単にライト板角度を調整する目的を達成する。
【００２７】
上述のとおり、本発明は、良好で実施可能なスプリンクラーの水耕栽培システムを提供し、法に基づき発明特許の申請を行う。本発明の技術内容及び技術特徴は、上述の通りであるが、当領域に習熟した者が本発明の提示に基づき本発明の精神から乖離しない入替及び修飾を提示するかもしれない。拠って、本発明の保護範囲は、実施例に制限されず、各種不背離本発明から乖離しない各種入替及び修飾を含み、以下の請求範囲とする。
【符号の説明】
【００２８】
１        スプリンクラーの水耕栽培システム
１０      箱体
１１      直立面
１２      開口
２０      植物
３０      水管
３１      シャワー孔
４０      ライトウォール
４１       ライト板
４１２     発光部品
４１３     滑動機構
４２       基台
４２１     第一嵌合槽
【図１】
2014003948.tif 000003
【図２】
2014003948.tif 000004
【図３】
2014003948.tif 000005
【図４】
2014003948.tif 000006